【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
(I)以下の部分、
A)(i)室温において10質量%より低いキシレン溶解性を有するプロピレンホモポリマー、
(ii)プロピレンと少なくとも１種の式H2C=CHR1（式中、R1は、H又はC2-10直鎖又は分岐アルキルである。）のα-オレフィンとのコポリマーであって、少なくとも85質量%のプロピレンを含み、室温において15質量%より低いキシレン溶解性を有するコポリマー、
(iii)(i)及び(ii)の混合物、
から成る群から選択される8〜50質量%の結晶性ポリマー部分、
B)プロピレン又はエチレンと、少なくとも別の式H2C=CHR2（式中、R2は、H又はC1-10直鎖又は分岐アルキルである。）のα-オレフィンとのエラストマーコポリマーを含む50〜92質量%のエラストマー部分であって、前記エラストマーコポリマーが、15〜55質量%のα-オレフィンを含み、かつ室温で75質量%より大きいキシレン溶解性を有するとともに、キシレン溶解性部分の極限粘度数が3.0〜6.5dl/gの範囲であるエラストマー部分、
を含む55〜95質量%の異相ポリオレフィン組成物、
(II)5〜35mgKOH/gの範囲の酸価、分子量Mn1,000〜100,000、及び92℃〜140℃の融点を有する2〜20質量%の酸化ポリエチレンワックス、及び
(III)3〜25質量%のスチレンブロックコポリマー、
を含むことを特徴とする組成物。
【請求項２】
前記エラストマーコポリマーが、更に0.5〜5質量%のジエンを含む請求項１に記載の組成物。
【請求項３】
(I) 以下の部分、
A)(i)室温において5質量%より低いキシレン溶解性を有するプロピレンホモポリマー、
(ii)プロピレンと、少なくとも１種の式H2C=CHR1（式中、R1は、H又はC2-10直鎖又は分岐アルキルである。）のα-オレフィンとのコポリマーであって、少なくとも90質量%のプロピレンを含み、室温において10質量%より低いキシレン溶解性を有するコポリマー、
(iii)(i)及び(ii)の混合物、
から成る群から選択される10〜25質量%の結晶性ポリマー部分、
B)プロピレン又はエチレンと、少なくとも別の式H2C=CHR2（式中、R2は、H又はC1-10直鎖又は分岐アルキルである。）のα-オレフィンとのエラストマーコポリマーであって、前記エラストマーコポリマーが、20〜50質量%のα-オレフィンを含み、かつ室温で80質量%より大きいキシレン溶解性を有するとともに、キシレン溶解性部分の極限粘度数が4.0〜5.5dl/gの範囲であるエラストマーコポリマーを含む75〜90質量%のエラストマー部分、
を含む65〜90質量%の異相ポリオレフィン組成物、
(II)5〜35mgKOH/gの範囲の酸価、分子量Mn1,000〜100,000、及び92℃〜140℃からなる融点を有する5〜15質量%の酸化ポリエチレンワックス、及び
(III)5〜20質量%のスチレンブロックコポリマー、
を含むことを特徴とする請求項１に記載の組成物。
【請求項４】
前記エラストマーコポリマーが、更に0.5〜5質量%のジエンを含む請求項３に記載の組成物。
【請求項５】
前記異相ポリオレフィン組成物(I)が、12〜20質量%の前記部分(A)及び80〜88質量%の前記部分(B)を含む請求項１に記載の組成物。
【請求項６】
前記部分(A)が、室温で3質量%より低いキシレン溶解性を有するプロピレンホモポリマー(i)である請求項１に記載の組成物。
【請求項７】
前記部分(A)が、プロピレンとエチレンのコポリマー(ii)であって、少なくとも90質量%のプロピレンを含み、かつ室温で8質量%より低いキシレン溶解性を有する請求項１に記載の組成物。
【請求項８】
前記エラストマー部分(B)が、
(1)プロピレンと少なくとも式H2C=CHR3（式中、R3は、H又はC2-10直鎖又は分岐アルキルである。）のα-オレフィンとの第一のエラストマーコポリマーであって、前記第一のエラストマーコポリマーは、15〜32質量%のα-オレフィンを含み、かつ室温で50質量%より大きいキシレン溶解性を有するとともに、キシレン溶解性部分の極限粘度数が、3.0〜5.0dl/gの範囲である第一のエラストマーコポリマー、及び
(2)プロピレンと少なくとも式H2C=CHR4（式中、R4は、H又はC2-10直鎖又は分岐アルキルである。）のα-オレフィンとの第二のエラストマーコポリマーであって、前記第二エラストマーコポリマーは、32質量%より多く45質量%までのα-オレフィンを含み、かつ室温で、80質量%より大きいキシレン溶解性を有するとともに、キシレン溶解性部分の極限粘度数が、4.0〜6.5dl/gである第二のエラストマーコポリマー、
を含み、
(1)/(2)質量比が1:5〜5:1の範囲である請求項１に記載の組成物。
【請求項９】
前記第一のエラストマーコポリマーが、更に0.5〜5質量%のジエンを含む請求項８に記載の組成物。
【請求項１０】
前記第二のエラストマーコポリマーが、更に0.5〜5質量%のジエンを含む請求項８に記載の組成物。
【請求項１１】
前記第一のエラストマーコポリマー(1)が、プロピレンと、エチレン、ブテン-1、ヘキセン-1及びオクテン-1から選択される25〜30%の少なくとも１つのα-オレフィンとのコポリマーであって、室温で70%より大きいキシレン溶解性を有し、かつキシレン溶解性部分の極限粘度数が3.5〜4.5dl/gである請求項８に記載の組成物。
【請求項１２】
前記第二のエラストマーコポリマー(2)が、プロピレンと、エチレン、ブテン-1、ヘキセン-1及びオクテン-1から選択される35〜40質量%の少なくとも１つのα-オレフィンとのコポリマーであって、室温で85%より大きいキシレン溶解性を有し、かつキシレン溶解性部分の極限粘度数が4.5〜6.0dl/gである請求項８に記載の組成物。
【請求項１３】
前記エラストマー部分(B)が、
(1')プロピレンと、エチレンとの第一のエラストマーコポリマーであって、20〜35質量%のエチレンを含み、更に、室温で70質量%より大きいキシレン溶解性を有するとともに、キシレン溶解性部分の極限粘度数が、3.0〜6.0dl/gの範囲であるエラストマーコポリマー、及び
(2')エチレンと、少なくとも式H2C=CHR5（式中、R5は、C2-10直鎖又は分岐アルキルである。）のα-オレフィンとの第二のエラストマーコポリマーであって、15〜40質量%のα-オレフィンを含み、更に室温で、25質量%より大きいキシレン溶解性を有するとともに、キシレン溶解性部分の極限粘度数が、0.5〜5.0dl/gであるエラストマーコポリマー、
を含み、
(1')/(2')質量比が1:5〜5:1の範囲である請求項１に記載の組成物。
【請求項１４】
前記第一のエラストマーコポリマーが、更に0.5〜5質量%のジエンを含む請求項１３に記載の組成物。
【請求項１５】
前記第二のエラストマーコポリマーが、更に0.5〜5質量%のジエンを含む請求項１３に記載の組成物。
【請求項１６】
前記第一のエラストマーコポリマー(1')が、25〜30質量%の範囲のエチレン含有量を有し、かつ室温で75%より大きいキシレン溶解性を有するとともに、キシレン溶解性部分の極限粘度数が、3.5〜5.0dl/gである請求項１３に記載の組成物。
【請求項１７】
前記第二のエラストマーコポリマー(2')が、プロピレンと、ブテン-1、ヘキセン-1及びオクテン-1から選択される20〜35質量%の少なくとも１種のα-オレフィンとのコポリマーであって、室温で30質量%より大きいキシレン溶解性を有するとともに、キシレン溶解性部分の極限粘度数が1.0〜4.5dl/gである請求項１３に記載の組成物。
【請求項１８】
前記酸化ポリエチレンワックス(II)が、5〜15質量%の範囲の量で存在し、かつ10〜25mg KOH/gの範囲の酸価、分子量Mn2,000〜50,000、及び110℃〜140℃の融点を有する請求項１に記載の組成物。
【請求項１９】
前記スチレンブロックコポリマー(III)が、5〜20質量%の範囲の量で存在し、かつ式A-B-A'を有し、A及びA'が、ポリスチレン及びポリスチレン同族体から選択される熱可塑性末端ブロックであり、Bが、エラストマーポリブタジエン、ポリ（エチレンブチレン）又はポリ（エチレンプロピレン）中間ブロックである請求項１に記載の組成物。
【請求項２０】
前記スチレンブロックコポリマー(III)が、スチレン-ブタジエン-スチレン、ポリ-エチレンブチレン-スチレン又はスチレン-エチレンプロピレン-スチレンコポリマーである請求項１９に記載の組成物。
【請求項２１】
6MPaより小さい100%モジュラス、95より低いショアーA(5秒)硬度、及び225%より大きい破断点伸びを有する請求項１に記載のポリオレフィン組成物。
【請求項２２】
(1)100質量部の請求項１で定義された組成物、及び
(2)5〜50質量部の可塑剤(IV)、
を含むことを特徴とする可塑化組成物。
【請求項２３】
前記可塑剤(IV)が、10〜40質量部で含まれ、かつ鉱油、プロセスオイル、芳香油、ナフテン油、パラフィン油、直鎖ドデシルベンゼン、ジアルキルベンゼン、ジフェニルアルカン及びその混合物から選択される請求項２２に記載の可塑化組成物。
【請求項２４】
請求項１の組成物を含む物品。
【請求項２５】
請求項２２の可塑化組成物を含む物品。